(57)【要約】【課題】浮き遊戯施設を遊泳者など遊戯者にとって好ましいものにした場合でも、遊戯施設の構成を簡単にできると共に軽量にでき、更に、組立作業が容易にできるようにする。【解決手段】浮き遊戯施設は、水２に浮くよう水中２ａに設置され、その上方域が遊戯者のための遊戯水域３となるようにしたものである。浮き遊戯施設は、平面視で、枠形状をなして水中２ａに設置されるフレーム５と、フレーム５の内部空間を閉じるように延びる膜状体６と、膜状体６の面方向に引張力Ｔを与えて膜状体６をフレーム５に支持させる引張具７と、水面２ｂに浮いてフレーム５を支持する水上浮体９とを備える。【選択図】図１
2014125787.tif 000002
【特許請求の範囲】
【請求項１】
水に浮くよう水中に設置され、その上方域が遊戯者のための遊戯水域となるようにした浮き遊戯施設において、
平面視で、枠形状をなして水中に設置されるフレームと、このフレームの内部空間を閉じるように延びる膜状体と、この膜状体の面方向に引張力を与えてこの膜状体を上記フレームに支持させる引張具と、水面に浮いて上記フレームを支持する水上浮体とを備えたことを特徴とする浮き遊戯施設。
【請求項２】
水中に設置されて上記膜状体に取り付けられ、この膜状体に浮力を与える水中浮体を備えたことを特徴とする請求項１に記載の浮き遊戯施設。
【請求項３】
上記水中浮体が剛性を有するものとしたことを特徴とする請求項２に記載の浮き遊戯施設。
【請求項４】
水中に設置されて上記膜状体に取り付けられ、この膜状体を水中で下降させる水中重りを設けたことを特徴とする請求項１から３のうちいずれか１つに記載の浮き遊戯施設。
【請求項５】
上記膜状体の上面を覆うよう設けられる他の膜状体を備えたことを特徴とする請求項１から４のうちいずれか１つに記載の浮き遊戯施設。
【請求項６】
上方に向かって開口し、水中に設置されて上記遊戯水域を形成する膜材製の遊戯水域形成体を備えたことを特徴とする請求項１から５のうちいずれか１つに記載の浮き遊戯施設。
【請求項７】
上記遊戯水域形成体を複数の形成体部材に分断して、その分断端縁同士を離脱可能に連結させるファスナーを設けたことを特徴とする請求項６に記載の浮き遊戯施設。
【請求項８】
上記収容体を非通水の膜材で形成し、上記ファスナーが、非通水性のシールファスナーと、このシールファスナーに重なるように設けられ、このシールファスナーよりも強度が大きい強度ファスナーとを有したことを特徴とする請求項７に記載の浮き遊戯施設。
【発明の詳細な説明】
【技術分野】
【０００１】
本発明は、海、湖、池、川の自然水など水における水中に簡易に設置され、その上方域が遊泳などの遊戯水域となるようにした浮き遊戯施設に関するものである。
【背景技術】
【０００２】
上記遊戯施設の一例としての浮きプールには、従来、下記特許文献１，２に示されるものがある。これら各公報のものによれば、浮きプールは、水中を水平方向に延びるよう設けられ、その底面を形成する底面部と、この底面部の上方域を水平方向から囲繞する囲繞部と、上記底面部に剛性や浮力を与えて、この底面部を平坦形状に保形するようこの底面に取り付けられる足場兼浮きや底板とを備え、上記底面板の上方域である上記プールの内部が遊泳者など遊戯者のための遊戯水域とされる。
【０００３】
そして、上記したように、プールの底面部を平坦形状にしてやれば、遊戯者にとって、プールの底面部に足を付けての水中歩行が容易かつ円滑にでき、また、遊戯水域の水深をその各部で互いに均一にできることから、遊泳途中における底面部への足付きや遊戯水域各部での水遊びが、より安定してできることとなり、好ましい。
【先行技術文献】
【特許文献】
【０００４】
【特許文献１】実公平２−２７０８９号公報
【特許文献２】実公平３−２３４３６号公報
【発明の概要】
【発明が解決しようとする課題】
【０００５】
ところで、上記従来の技術では、プールの底面部を平坦形状に保形するため、足場兼浮きなどの部材を別途に設けている。しかし、これでは、プールの部品点数が多くなって、その構成が複雑になると共に質量が大きくなり、また、これにより、プールの組立作業が煩雑になるという不都合を生じるおそれがある。
【課題を解決するための手段】
【０００６】
本発明は、上記のような事情に注目してなされたもので、本発明の目的は、浮きプールなどの浮き遊戯施設を遊泳者など遊戯者にとって、遊戯が安定してできるなど好ましいものにした場合でも、この遊戯施設の構成を簡単にできると共に軽量にでき、更に、組立作業が容易にできるようにすることである。
【０００７】
請求項１の発明は、水２に浮くよう水中２ａに設置され、その上方域が遊戯者のための遊戯水域３となるようにした浮き遊戯施設において、
平面視（図３）で、枠形状をなして水中２ａに設置されるフレーム５と、このフレーム５の内部空間を閉じるように延びる膜状体６と、この膜状体６の面方向に引張力Ｔを与えてこの膜状体６を上記フレーム５に支持させる引張具７と、水面２ｂに浮いて上記フレーム５を支持する水上浮体９とを備えたことを特徴とする浮き遊戯施設である。
【０００８】
なお、本願による膜状体の意味は、単に非通水性や遮水性の膜材を意味するだけでなく、繊維製や樹脂製、あるいは金属製の通水性の網状体も含むこととする。
【０００９】
請求項２の発明は、水中２ａに設置されて上記膜状体６に取り付けられ、この膜状体６に浮力を与える水中浮体１０を備えたことを特徴とする請求項１に記載の浮き遊戯施設である。
【００１０】
請求項３の発明は、上記水中浮体１０が剛性を有するものとしたことを特徴とする請求項２に記載の浮き遊戯施設である。
【００１１】
請求項４の発明は、水中２ａに設置されて上記膜状体６に取り付けられ、この膜状体６を水中２ａで下降させる水中重り３７を設けたことを特徴とする請求項１から３のうちいずれか１つに記載の浮き遊戯施設である。
【００１２】
請求項５の発明は、上記膜状体６の上面を覆うよう設けられる他の膜状体３４を備えたことを特徴とする請求項１から４のうちいずれか１つに記載の浮き遊戯施設である。
【００１３】
請求項６の発明は、上方に向かって開口し、水中２ａに設置されて上記遊戯水域３を形成する膜材製の遊戯水域形成体３５を備えたことを特徴とする請求項１から５のうちいずれか１つに記載の浮き遊戯施設である。
【００１４】
請求項７の発明は、上記遊戯水域形成体３５を複数の形成体部材３５ａに分断して、その分断端縁同士を離脱可能に連結させるファスナー４０を設けたことを特徴とする請求項６に記載の浮き遊戯施設である。
【００１５】
請求項８の発明は、上記遊戯水域形成体３５を非通水の膜材で形成し、上記ファスナー４０が、非通水性のシールファスナー４０ａと、このシールファスナー４０ａに重なるように設けられ、このシールファスナー４０ａよりも強度が大きい強度ファスナー４０ｂとを有したことを特徴とする請求項７に記載の浮き遊戯施設である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、水に浮くよう水中に設置され、その上方域が遊戯者のための遊戯水域となるようにした浮き遊戯施設において、
平面視で、枠形状をなして水中に設置されるフレームと、このフレームの内部空間を閉じるように延びる膜状体と、この膜状体の面方向に引張力を与えてこの膜状体を上記フレームに支持させる引張具と、水面に浮いて上記フレームを支持する水上浮体とを備えている。
【００１９】
このため、上記引張力によって膜状体は平坦形状にされることから、上記遊戯水域における遊泳者など遊戯者にとって、各種遊戯を安定してすることができて好ましい。そして、上記したように、膜状体を平坦形状にするのは、この膜状体に単に引張力を与えることにより達成される。よって、上記したように遊戯施設を遊戯者にとって好ましいものにした場合でも、この遊戯施設の構成を簡単にできると共に軽量にでき、また、このことから遊戯施設の組立作業も容易にできる。
【００２０】
請求項２の発明は、水中に設置されて上記膜状体に取り付けられ、この膜状体に浮力を与える水中浮体を備えている。
【００２１】
このため、上記膜状体の一部もしくは全部がその自重などにより水中で下降しがちとなる場合には、その部分に対し上記水中浮体により浮力を与えてやればよく、これにより、上記膜状体を、より精度よく平坦形状に維持させることができ、これは遊戯者にとって、より好ましい。
【００２２】
請求項３の発明は、上記水中浮体が剛性を有するものとしている。
【００２３】
このため、上記水中浮体の剛性により、上記膜状体を、より確実に平坦形状に維持させることができ、これは遊戯者にとって更に好ましい。
【００２４】
請求項４の発明は、水中に設置されて上記膜状体に取り付けられ、この膜状体を水中で下降させる水中重りを設けている。
【００２５】
このため、上記膜状体の一部もしくは全部が水中で浮揚しがちとなる場合には、その部分に対し上記水中重りにより重力を与えてやればよく、これにより、上記膜状体を、より精度よく平坦形状に維持させることができ、これは、遊戯者にとって、より好ましい。
【００２６】
請求項５の発明は、上記膜状体の上面を覆うよう設けられる他の膜状体を備えている。
【００２７】
このため、遊戯施設において遊戯者からの負荷を担持するなど、専ら、強度面を担う膜状体による外観上の見栄えの低下や、この膜状体に対する遊戯者の直接的な足付き時の接触フィーリングの低下は、上記した膜状体を覆う上記他の膜状体によって防止させることができる。よって、遊戯施設の見栄えや、この遊戯施設における遊戯者の足付き時のフィーリングの向上が達成され、これは遊戯者にとって好ましい。
【００２８】
請求項６の発明は、上方に向かって開口し、水中に設置されて上記遊戯水域を形成する膜材製の遊戯水域形成体を備えている。
【００２９】
このため、上記遊戯水域形成体の膜材を非通水性にしてやれば、この遊戯水域形成体の内部は、その外側方と下方とに対し密閉状態に保たれる。よって、この遊戯水域形成体の内部の遊戯水域が外部の水の水質から悪影響を受けたり、遊戯水域形成体の内部の遊戯水域における遊戯者が外部の水の流れから直接悪影響を受けたりすることが防止され、安全で安定した遊戯が確保され、これは遊戯者にとって好ましい。
【００３０】
一方、上記遊戯水域形成体の外部の水の水質が良い場合には、この遊戯水域形成体を通水性にして、この遊戯水域形成体の内部の遊戯水域に上記外部の水を流入させるようにし、この外部の水の水質がそのまま遊戯水域の水質になるようにしてもよい。また、この場合、遊戯水域における遊戯者は外部の水の流れの勢いを直接受けるおそれがあるが、これにより遊戯者が遊戯施設の外部に押し出されることは、上記遊戯水域形成体によって防止され、この場合にも、安全で安定した遊戯が確保され、これは遊戯者にとって好ましい。
【００３１】
請求項７の発明は、上記遊戯水域形成体を複数の形成体部材に分断して、その分断端縁同士を離脱可能に連結させるファスナーを設けている。
【００３２】
このため、上記遊戯水域形成体の各形成体部材の各個数を増、減して、それぞれファスナーにより連結してやれば、遊戯施設の形状や、遊戯水域形成体の内部の遊戯水域の容積を増、減させることが容易かつ自由にでき、遊戯施設の適用の自由度が向上し、これは遊戯者にとって好ましい。
【００３３】
また、上記遊戯水域形成体の各形成体部材を、上記各ファスナーの連結を解除させることにより分断してやれば、遊戯施設の組立作業時や解体時に、上記遊戯水域形成体をコンパクトにでき、その搬送や収納が容易にできる。よって、上記遊戯施設の組立作業や解体作業が、より容易にできる。
【００３４】
請求項８の発明は、上記遊戯水域形成体を非通水の膜材で形成し、上記ファスナーが、非通水性のシールファスナーと、このシールファスナーに重なるように設けられ、このシールファスナーよりも強度が大きい強度ファスナーとを有している。
【００３５】
ここで、非通水性を主眼としたシールファスナーは、一般に、その性能を満たすために強度が低くなりがちである。そこで、本発明は、上記したようにファスナーをシールファスナーと強度ファスナーとによる二重構造としている。
【００３６】
このため、上記したように遊戯水域形成体を分断可能にした場合でも、上記ファスナーを連結状態とした上記遊戯水域形成体の内部は、その外側方と下方とに対し、十分な強度で密閉状態に保持される。よって、上記遊戯水域形成体の内部の遊戯水域における遊戯者にとって、安全で安定した遊戯が、より確実に確保され、これは遊戯者にとって好ましい。
【図面の簡単な説明】
【００３７】
【図１】遊戯施設の側面部分断面部分破断図である。
【図２】図１の部分拡大断面図である。
【図３】遊戯施設の部分平面図である。
【図４】遊戯施設の斜視展開図である。
【発明を実施するための形態】
【００３８】
本発明の浮き遊戯施設に関し、この浮き遊戯施設を遊戯者にとって好ましいものにした場合でも、この遊戯施設の構成を簡単にできると共に軽量にでき、更に、組立作業が容易にできるようにする、という目的を実現するため、本発明を実施するための形態は、次の如くである。
【００３９】
即ち、浮き遊戯施設は、水に浮くよう水中に設置され、その上方域が遊戯者のための遊戯水域となるようにしたものであり、この浮き遊戯施設は、平面視で、枠形状をなして水中に設置されるフレームと、このフレームの内部空間を閉じるように延びる膜状体と、この膜状体の面方向に引張力を与えてこの膜状体を上記フレームに支持させる引張具と、水面に浮いて上記フレームを支持する水上浮体とを備える。
【実施例】
【００４０】
本発明をより詳細に説明するために、その実施例を添付の図に従って説明する。
【００４１】
図中符号１は、浮きプールで例示される遊戯施設であり、この遊戯施設１は、海、湖、池、川の自然水など水２に浮くよう水中２ａに簡易に設置され、かつ、水面２ｂよりも上方に向かって開口するよう設置されるものである。この遊戯施設１の上方域、かつ、その内部は、遊泳者など遊戯者が遊泳など遊戯をするための遊戯水域３とされる。
【００４２】
上記遊戯施設１は、平面視（図３）で、矩形枠形状をなして水中２ａに設置される金属製で剛性を有するフレーム５と、このフレーム５の内部空間を閉じるよう水平方向に延びる膜状体６と、この膜状体６に対しこの膜状体６の面方向の少なくとも一方向にわたり引張力Ｔを与えるよう、この膜状体６の外縁部を上記フレーム５の長手方向の各部分に向けて引張すると共にこのフレーム５に上記膜状体６を支持させる引張具７と、水中２ａに設置され、上記膜状体６の上方水域を水平方向から囲繞する囲繞体８と、水面２ｂに浮いて上記フレーム５および囲繞体８を吊り下げるよう支持する水上浮体９と、水中２ａに設置されて上記膜状体６に取り付けられ、この膜状体６に浮力を与える水中浮体１０と、上記フレーム５を水底や陸側に係留する不図示の係留装置とを備えている。
【００４３】
上記フレーム５は、互いに離間した球形状連結体１３，１３と、これら球形状連結体１３，１３を互いに連結するトラス材１４との組み合わせ体を多数連設することにより形成される公知のものである。
【００４４】
詳図しないが、上記各球形状連結体１３にはそれぞれ複数の雌ねじが形成される。一方、上記各トラス材１４は、これら各トラス材１４の各端部に係止された状態のままで、上記球形状連結体１３の各雌ねじのうち、所望の雌ねじに螺合可能とされるボルトを有している。そして、上記球形状連結体１３の雌ねじに対しトラス材１４の各端部のボルトを次々と螺合することにより、上記フレーム５は、所望形状かつ所望の大きさに任意に延設可能とされる。
【００４５】
なお、上記フレーム５は、アングルやチャンネルなどの型鋼材、断面円形や多角形のパイプ材、および棒材などを締結具や溶接により結合させて形成される鉄骨のような構造物であってもよく、また、一本のパイプ材や棒材を枠形状に屈曲させることにより形成してもよい。
【００４６】
上記膜状体６は、互いに重ね合わされる上、下膜材１８，１８を有している。これら各膜材１８の材質は、ポリ塩化ビニル（ＰＶＣ）、ポリウレタン（ＰＵ）、エチレン・酢酸ビニル共重合体（ＥＶＡ）、ポリエチレン（ＰＥ）等の合成樹脂製、または、クロロプレンゴム（ＣＲ）、エチレンプロピレンゴム（ＥＰＤＭ）等のゴム製のシートで非通水性（遮水性）とされる。
【００４７】
上記水中浮体１０は複数設けられ、これら水中浮体１０は、互いに同形同大で水平方向に延びる板形状とされる。これら水中浮体１０は、上記上、下膜材１８，１８の間に挟まれ、平面視（図３）で、碁盤目状に配置される。上記水中浮体１０の材質は、高密度発泡ポリスチレン製であり、全体的に剛性を有しているが、多少の弾性を有することにより緩衝機能を備えている。
【００４８】
上記上、下膜材１８，１８の外縁部同士は互いに結合される。上記のように配置された各水中浮体１０のうち、互いに隣り合う水中浮体１０，１０同士の間に隙間が設けられる。上記水中浮体１０，１０同士の間の隙間を通して上記上下膜材１８，１８同士が互いに結合される。これら結合は、溶着、接着、縫合などによるものであり、この結合の用語は、以下、同じことを意味することとする。
【００４９】
上記したように、上、下膜材１８，１８同士を互いに溶着させる場合には、これら膜材１８，１８は、少なくとも表層が熱溶着による接合が可能なポリ塩化ビニル（ＰＶＣ）、エチレン・酢酸ビニル共重合体（ＥＶＡ）、ポリウレタン（ＰＵ）などの熱可塑性樹脂とされている。
【００５０】
そして、上記膜状体６は、上記各水中浮体１０により、ある程度の剛性が与えられる。一方、上記膜状体６は、互いに隣り合う水中浮体１０，１０同士の各間の部分で容易に屈曲可能とされる。つまり、上記膜状体６は、上記したある程度の剛性を有しつつ、全体的に可撓性を有するものとされる。
【００５１】
なお、上記膜状体６の各膜材１８，１８と水中浮体１０とは互いに結合させてもよい。また、上記膜状体６への水中浮体１０の取り付けは、膜状体６の下面に水中浮体１０を直接結合させるものでもよく、ベルトやロープなどの可撓性長尺材や面ファスナーなどにより行ってもよい。この場合、上記膜状体６は単一の膜材１８で構成してもよい。また、上記膜状体６は、上記樹脂やゴム製のシートにケナフ等の天然繊維やポリエステル等の合成繊維等による繊維織布や網布を芯材として設けたものであってもよいし、上記繊維糸によるメッシュ状の織布や、網布のみによる網材や、これらに上記合成樹脂のコーティングを施したものであってもよいし、その他樹脂製や金属製の網材を用いることによって、通水性を有するものとしてもよい。
【００５２】
上記引張具７は、上記膜状体６の外縁部に沿って多数形成される鳩目状の貫通孔２０と、これら各貫通孔２０に近接する上記フレーム５における下端部のトラス材１４および上記各貫通孔２０に巻回される可撓性長尺材２１とを有している。なお、この長尺材２１は合成樹脂製のロープで例示されるが、ワイヤー、チェーンなどであってもよく、また、上記引張具７は、係止具、バックル、ジッパーなどのファスナーであってもよく、少なくとも上記膜状体６の面方向における少なくとも一方向に張力を入れることができるものであればよい。
【００５３】
上記囲繞体８は、上記膜状体６の膜材１８と同材質とされるが、上記膜状体６と同様に通水性を有するものとしてもよい。
【００５４】
上記水上浮体９は、上記フレーム５と囲繞体８との上方で水面２ｂに浮く一対の浮体本体２４，２４と、これら浮体本体２４，２４に上記フレーム５の上端部を連結する連結具２５と、上記浮体本体２４，２４の上面に取り付けられ、上記囲繞体８の上端縁部を着脱可能に連結する他の連結具２７とを有している。
【００５５】
上記各浮体本体２４は、水面２ｂに沿って延びる断面円形の棒材で、上記水中浮体１０と同材質とされる。上記連結具２５は、上記各浮体本体２４を内有する膜材製の袋体３０と、この袋体３０を上記フレーム５の上端部に連結する可撓性長尺材３１とを有している。上記袋体３０は上記膜状体６の膜材１８と同材質とされるが、上記膜状体６と同様に通水性を有するようにしてもよい。また、上記長尺材３１は、前記引張具７の長尺材２１と同構成とされる。なお、上記浮体本体２４は、図２中一点鎖線で示すように、断面矩形の棒材としてもよい。
【００５６】
また、遊戯施設１は、上記膜状体６の上面を全体的に覆うよう設けられて遊戯施設１の内底面を形成する他の膜状体３４を備えている。この他の膜状体３４は、上記膜状体６の膜材１８や囲繞体８と同材質とされるが、上記膜状体６と同様に通水性を有するものとしてもよい。上記囲繞体８と他の膜状体３４とは互いに一体的に形成され、これにより、水面２ｂの上方に向かって開口し、上記遊戯水域３を形成する膜材製の遊戯水域形成体３５が形成される。なお、この遊戯水域形成体３５は、上記囲繞体８と他の膜状体３４とのうち、いずれか一方を用いて形成してもよく、これら８，３４とは別途に設けてもよい。
【００５７】
なお、上記囲繞体８にある程度の剛性を持たせるため、膜材の表面または裏面に剛性板を取り付けるようにしてもよい。
【００５８】
上記遊戯水域形成体３５が複数（４つ）の形成体部材３５ａに分断されて、その分断端同士を離脱可能に連結させるファスナー４０が設けられる。この場合、遊戯水域形成体３５は非通水の膜材で形成され、上記ファスナー４０は、非通水性のシールファスナー４０ａと、このシールファスナー４０ａに、上記遊戯水域形成体３５の外方側から重なるように設けられ、このシールファスナー４０ａよりも引張強度が大きい強度ファスナー４０ｂとを有することとされる。なお、これらシールファスナー４０ａと強度ファスナー４０ｂとは、上記遊戯水域形成体３５の内部側、外部側のいずれに設けてもよいが、遊戯水域形成体３５の本体側に強度ファスナー４０ｂを設けることが好ましく、これにより遊戯水域形成体３５の強度が十分に保たれると共に、必要な遮水性能を得ることが可能となる。
【００５９】
そして、上記遊戯施設１によれば、この遊戯施設１の内部の遊戯水域３における水は、その外部の水２から区画される。これにより、遊戯水域３の水が外部の水２の水質から悪影響を受けたり、遊戯施設１の内部の遊戯者が外部の水２の流れから悪影響を受けたりすることが防止される。
【００６０】
上記構成によれば、平面視（図３）で、枠形状をなして水中２ａに設置されるフレーム５と、このフレーム５の内部空間を閉じるように延びる膜状体６と、この膜状体６の面方向に引張力Ｔを与えてこの膜状体６を上記フレーム５に支持させる引張具７と、水面２ｂに浮いて上記フレーム５を支持する水上浮体９とを備えている。
【００６１】
このため、膜状体６の少なくとも一方向に引張力Ｔを導入することにより、この引張力Ｔによって膜状体６は平坦形状にされることから、上記遊戯水域３における遊泳者など遊戯者にとって、各種遊戯を安定してすることができて好ましい。そして、上記したように、膜状体６を平坦形状にするのは、この膜状体６に単に引張力Ｔを与えることにより達成される。よって、上記したように遊戯施設１を遊戯者にとって好ましいものにした場合でも、この遊戯施設１の構成を簡単にできると共に軽量にでき、また、このことから遊戯施設１の組立作業も容易にできる。
【００６２】
また、前記したように、水中２ａに設置されて上記膜状体６に取り付けられ、この膜状体６に浮力を与える水中浮体１０を備えている。
【００６３】
このため、上記膜状体６の一部もしくは全部がその自重などにより水中２ａで下降しがちとなる場合には、その部分に対し上記水中浮体１０により浮力を与えてやればよく、これにより、上記膜状体６を、より精度よく平坦形状に維持させることができ、これは遊戯者にとって、より好ましい。
【００６４】
また、上記水中浮体１０は、上記膜状体６に着脱可能に取り付けられることが好ましい。これにより、遊戯施設１の設置場所によって、上記水中浮体１０の取り付け場所を変更できたり、浮力の異なる水中浮体１０を適宜使用することが可能となると共に、組立や解体作業及び搬送作業も効率よく出来ることとなる。
【００６５】
また、前記したように、水中浮体１０が剛性を有するものとしている。
【００６６】
このため、上記水中浮体１０の剛性により、上記膜状体６を、より確実に平坦形状に維持させることができ、これは遊戯者にとって更に好ましい。
【００６７】
また、前記したように、膜状体６の上面を覆うよう設けられる他の膜状体３４を備えている。
【００６８】
このため、遊戯施設１において遊戯者からの負荷を担持するなど、専ら、強度面を担う膜状体６による外観上の見栄えの低下や、この膜状体６に対する遊戯者の直接的な足付き時の接触フィーリングの低下は、上記した膜状体６を覆う上記他の膜状体３４によって防止させることができる。よって、遊戯施設１の見栄えや、この遊戯施設１における遊戯者の足付き時のフィーリングの向上が達成され、これは遊戯者にとって好ましい。また、上記他の膜状体３４により上記膜状体６の損傷を防止することも可能となる。
【００６９】
また、前記したように、上方に向かって開口し、水中２ａに設置されて上記遊戯水域３を形成する膜材製の遊戯水域形成体３５を備えている。
【００７０】
このため、上記遊戯水域形成体３５の膜材を非通水性にしてやれば、この遊戯水域形成体３５の内部は、その外側方と下方とに対し密閉状態に保たれる。よって、この遊戯水域形成体３５の内部の遊戯水域３が外部の水２の水質から悪影響を受けたり、遊戯水域形成体３５の内部の遊戯水域３における遊戯者が外部の水２の流れから直接悪影響を受けたりすることが防止され、安全で安定した遊戯が確保され、これは遊戯者にとって好ましい。
【００７１】
一方、上記遊戯水域形成体３５の外部の水２の水質が良い場合には、この遊戯水域形成体３５をメッシュ構造の網状等にすることにより通水性にして、この遊戯水域形成体３５の内部の遊戯水域３に上記外部の水２を流入させるようにし、この外部の水２の水質がそのまま遊戯水域３の水質になるようにしてもよい。また、この場合、遊戯水域３における遊戯者は外部の水２の流れの勢いを直接受けるおそれがあるが、これにより遊戯者が遊戯施設１の外部に押し出されることは、上記遊戯水域形成体３５によって防止され、この場合でも、安全で安定した遊戯が確保され、これは遊戯者にとって好ましい。
【００７２】
また、前記したように、遊戯水域形成体３５を複数の形成体部材３５ａに分断して、その分断端縁同士を離脱可能に連結させるファスナー４０を設けている。
【００７３】
このため、上記遊戯水域形成体３５の各形成体部材３５ａの各個数を増、減して、それぞれファスナー４０により連結してやれば、遊戯施設１の形状や、遊戯水域形成体３５の内部の遊戯水域３を形成する容積を増、減させることが容易かつ自由にでき、遊戯施設１の適用の自由度が向上し、これは遊戯者にとって好ましい。
【００７４】
また、上記遊戯水域形成体３５の各形成体部材３５ａを、上記各ファスナー４０の連結を解除させることにより分断してやれば、遊戯施設１の組立作業時や解体時に、上記遊戯水域形成体３５をコンパクトにでき、その搬送や収納が容易にできる。よって、上記遊戯施設１の組立作業や解体作業が、より容易にできる。
【００７５】
また、前記したように、遊戯水域形成体３５を非通水の膜材で形成し、上記ファスナー４０が、非通水性のシールファスナー４０ａと、このシールファスナー４０ａに重なるように設けられ、このシールファスナー４０ａよりも強度が大きい強度ファスナー４０ｂとを有している。
【００７６】
ここで、非通水性を主眼としたシールファスナー４０ａは、一般に、その性能を満たすために強度が低くなりがちである。そこで、本発明は、上記したようにファスナー４０をシールファスナー４０ａと強度ファスナー４０ｂとによる二重構造としている。
【００７７】
このため、上記したように遊戯水域形成体３５を分断可能にした場合でも、上記ファスナー４０を連結状態とした上記遊戯水域形成体３５の内部は、その外側方と下方とに対し、十分の強度で密閉状態に保持される。よって、上記遊戯水域形成体３５の内部の遊戯水域３における遊戯者にとって、安全で安定した遊戯が、より確実に確保され、これは遊戯者にとって好ましい。
【００７８】
なお、上記水中浮体１０を、これと共に、もしくはこれに代えて、上記膜状体６を水中２ａで下降させる剛性の樹脂製板状水中重り３７としてもよい。
【００７９】
このようにすれば、上記膜状体６の一部もしくは全部が水中２ａで浮揚しがちとなる場合には、その部分に対し上記水中重り３７により重力を与えてやればよく、これにより、上記膜状体６を、より精度よく平坦形状に維持させることができ、これは、遊戯者にとって、より好ましい。
【００８０】
上記の場合、水中浮体１０と水中重り３７とは互いに同形同大であってもよいが、長辺、短辺、板厚寸法など、互いに形状の異なるものとしてもよい。
【符号の説明】
【００８１】
１    遊戯施設
２    水
２ａ  水中
２ｂ  水面
３    遊戯水域
５    フレーム
６    膜状体
７    引張具
８    囲繞体
９    水上浮体
１０  水中浮体
１８  膜材
２０  貫通孔
２１  長尺材
３４  他の膜状体
３５  遊戯水域形成体
３５ａ  形成体部材
３７  水中重り
４０  ファスナー
４０ａ  シールファスナー
４０ｂ  強度ファスナー
Ｔ    引張力
【図１】
2014125787.tif 000003
【図２】
2014125787.tif 000004
【図３】
2014125787.tif 000005
【図４】
2014125787.tif 000006